(57)【要約】【課題】  測定精度を高められる構成を備えた皮膚機能評価装置の提供。【解決手段】  測定者が把持する柱状の基部１１と、基部１１の一方の端部１１ａに設けられ、皮膚機能を検出するために被測定者の皮膚表面に測定面１２ａを接触させる電極部１２と、を備え、基部１１の反電極部側１３ｂから電極部側１３ａへ延びる第１仮想軸線Ａ１１と、電極部１２の測定面１２ａに対して垂直方向に延びる第２仮想軸線Ａ１２とが、交差する皮膚機能評価装置１０を提供する。【選択図】図１
2014045797.tif 000002
【特許請求の範囲】
【請求項１】
測定者が把持する柱状の基部と、
前記基部の一方の端部に設けられ、皮膚機能を検出するために被測定者の皮膚表面に測定面を接触させる電極部と、を備え、
前記基部の反電極部側から前記電極部側へ延びる第１仮想軸線と、前記電極部の前記測定面に対して垂直方向に延びる第２仮想軸線とが、交差する
皮膚機能評価装置。
【請求項２】
前記第１仮想軸線と、前記第２仮想軸線と、の間の角度が、９０度〜１５０度である
請求項１記載の皮膚機能評価装置。
【請求項３】
前記皮膚機能評価装置の重心は、該皮膚機能評価装置の前記第１仮想軸線方向の長さにおける中心位置よりも前記電極部側に位置する
請求項１又は２記載の皮膚機能評価装置。
【請求項４】
前記基部の前記第１仮想軸線に沿って構成された把持面の少なくとも１つに、前記被測定者の皮膚機能の測定を開始する測定スイッチが備えられており、
前記測定スイッチは、前記電極部の前記測定面に対して水平方向に力が入力される構成である
請求項１〜３のいずれか１項記載の皮膚機能評価装置。
【請求項５】
前記測定スイッチが備えられている把持面には、更に、前記被測定者の皮膚機能の評価値を表示する表示部が備えられている
請求項４記載の皮膚機能評価装置。
【発明の詳細な説明】
【技術分野】
【０００１】
本発明は、皮膚機能評価装置に関する。より詳しくは、経皮水分蒸散量等の皮膚機能を評価する皮膚機能評価装置に関する。
【背景技術】
【０００２】
皮膚の角質層（角層）は、皮膚への異物侵入と生体に必要な水分の蒸散を防止するバリア機能が存在する。皮膚バリア機能を反映する指標として、『角層の水分量』や、体内から無自覚のうちに角層を通じて揮散する水分量を表す『経皮水分蒸散量（ｔｒａｎｓｅｐｉｄｅｒｍａｌ  ｗａｔｅｒ  ｌｏｓｓ：以下、「ＴＥＷＬ」と略す場合がある）』などが用いられている。
【０００３】
皮膚バリア機能を反映する指標を測定する装置として様々な装置が知られている。例えば、特許文献１には、皮膚層の通電電気的特性を利用して『角質層水分量』を測定する装置が開示されている。特許文献２には、『経皮水分蒸散量』を推定する皮膚バリア機能評価装置が開示されている。
特許文献２には、一例として、図７に示すような皮膚バリア機能評価装置１が開示されている。皮膚バリア機能評価装置１は、全体として略直方体の本体部（基部）２と、本体部２の一方の側面に円筒状のプローブ３を介して設置される印加電極４ａ及び検出電極４ｂ（電極部４）と、を備えており、電気的特性に基づいて『経皮水分蒸散量』の推定値となりえる特性値を算出する。
【先行技術文献】
【特許文献】
【０００４】
【特許文献１】特開２００５−５２２２７号公報
【特許文献２】特開２０１０−１７２５４３号公報（図１（ａ））
【発明の概要】
【発明が解決しようとする課題】
【０００５】
上述した皮膚バリア機能評価装置１（詳細については特許文献２参照）は、本体部（基部）２の反電極部側から電極部側へ延びる第１軸線方向に加えた力が、そのまま電極部４に入力される構成である。測定者が、本体部２の第１軸線方向に力を入力して、被測定者に対して電極部４を接触させた場合、電極部４の平らな測定面と、曲面を有する被測定者の皮膚表面が接触する接触面はぐらつく（安定しない）危険性が高かった。そうすると、測定者は、電極部４を被測定者の皮膚により密着させ、（電極部４の測定面と被測定者の皮膚表面との）接触面を安定させようとして、本体部２の第１軸線方向により大きな力を入力する危険性があった。この場合、測定者の本体部２に加える力が第１軸線方向からずれると、本体部２をぶれさせ、（電極部４の測定面と被測定者の皮膚表面との）接触面をぐらつかせる恐れがあった。即ち、皮膚バリア機能評価装置１は、（電極部４の測定面と被測定者の皮膚表面との）接触面を安定させることが困難であり、測定精度を低減させる恐れがあった。
【０００６】
そこで、本発明は、斯かる実状に鑑み、測定精度を高められる構成を備えた皮膚機能評価装置を提供することを課題とする。
【課題を解決するための手段】
【０００７】
上記課題に対して、発明者は、測定者が把持する柱状の基部と、前記基部の一方の端部に設けられ、皮膚機能を検出するために被測定者の皮膚表面に測定面を接触させる電極部と、を備え、前記基部の反電極部側から前記電極部側へ延びる第１仮想軸線と、前記電極部の前記測定面に対して垂直方向に延びる第２仮想軸線とが、交差する皮膚機能評価装置を提供する。
ここで、『柱状』とは、一方向に長く伸びている立体形状（例えば、円柱状、多角形の柱状）のみならず、全ての辺の長さが等しい立方体形状も含まれるし、長手方向一方向に伸びた先端部や中間部に屈曲部を設けた略柱状も含まれる。また、折り畳みや伸縮が可能な構造にしてもよい。
ここで、『第１仮想軸線』とは、基部（測定者が把持する部分の軸線に対する屈曲部を含まない部分）の反電極部側から前記電極部側へかけて延びる軸線を延長させた仮想の直線である。
また、『第２仮想軸線』は、電極部の測定面に対する垂線を延長させた仮想の直線である。
（図７に示す）従来の例に係る皮膚バリア機能評価装置は、本体部（基部）の反電極部側から電極部側へ延びる『第１軸線』と、電極部の測定面に対して垂直方向に延びる『第２軸線』とが、同一方向（略平行）である（換言すれば、本体部の『第１軸線』と電極部の『第２軸線』の間の角度が０度又は１８０度である）。即ち、本体部の第１軸線方向に入力された力は、そのまま電極部の第２軸線方向に伝達され、被測定者に伝達される。皮膚バリア機能評価装置は、ぐらついている（安定しない）接触面（電極部の平らな測定面と、曲面を有する被測定者の皮膚表面が接触する面）に対して、１方向（第１、第２軸線方向）に大きな力を入力するため、測定精度を欠くおそれがあった。
これに対し、本発明に係る皮膚機能評価装置は、基部の反電極部側から電極部側へ延びる第１仮想軸線と、電極部の皮膚表面に接触させる測定面に対して垂直方向に延びる第２仮想軸線とが、交差する構成となっている。この構成により、第１仮想軸線方向に加えられた力は、（第１仮想軸線と第２仮想軸線の角度に応じて、）第１仮想軸線の『垂直方向成分』と『平行方向成分』の２方向の力成分にバランスよく分解され、被測定者に伝達される。２方向に分解された力成分は、電極部の測定面を被測定者の皮膚表面に対して安定して留まらせるように働き、（皮膚表面に対する）電極部の測定面のぐらつきを防止させることができる。以上のことから、本発明に係る皮膚機能評価装置は、測定精度を高めることができる。
【０００８】
本発明の皮膚機能評価装置では、前記第１仮想軸線と、前記第２仮想軸線と、の間の角度が、９０度〜１５０度であるのが好ましい。
本発明の皮膚機能評価装置では、前記皮膚機能評価装置の重心は、該皮膚機能評価装置の前記第１仮想軸線方向の長さにおける中心位置よりも前記電極部側に位置することが好ましい。
本発明の皮膚機能評価装置では、前記基部の前記第１仮想軸線に沿って構成された把持面の少なくとも１つに、前記被測定者の皮膚機能の測定を開始する測定スイッチが備えられており、前記測定スイッチは、前記電極部の前記測定面に対して水平方向に力が入力される構成であることが好ましい。
前記測定スイッチが備えられている把持面には、更に、前記被測定者の皮膚機能の評価値を表示する表示部が、備えられているのが好ましい。
【０００９】
本発明において、「皮膚機能」とは、皮膚の角質層（角層）が有する、皮膚への異物侵入と生体に必要な水分の蒸散を防止する機能をいい、皮膚の角質層（角層）の水分量、及び経皮水分蒸散量等の指標により評価され得る。
【発明の効果】
【００１０】
本発明により、測定精度を高められる構成を備えた皮膚機能評価装置が提供される。
【図面の簡単な説明】
【００１１】
【図１】本発明の第１実施形態に係る皮膚機能評価装置を示す斜視図である。
【図２】本発明の第１実施形態に係る皮膚機能評価装置を示す種々の方向からみた平面図である。
【図３】本発明の第１実施形態に係る皮膚機能評価装置の使用状態を表す図である。
【図４】本発明の第２実施形態に係る皮膚機能評価装置を示す平面図（ａ）及び斜視図（ｂ）である。
【図５】本発明の第２実施形態に係る皮膚機能評価装置の使用状態を表す図である。
【図６】本発明の実施形態の変形例を説明するための図である。
【図７】従来の皮膚バリア機能評価装置の一例を説明するための図である。
【発明を実施するための形態】
【００１２】
以下、本発明を実施するための好適な形態について説明する。なお、以下に説明する実施形態は、本発明の代表的な実施形態の一例を示したものであり、これにより、本発明の範囲が狭く解釈されることはない。また、各実施形態で共通する構成について重複説明を省略する。
【００１３】
＜第１実施形態＞
図１〜図３を用いて、本発明の第１実施形態に係る皮膚機能評価装置１０を説明する。
図１は、第１実施形態に係る皮膚機能評価装置１０を示す斜視図である。また、図２は、皮膚機能評価装置１０を示す平面図であり、（ａ）は正面図、（ｂ）は（ａ）で表される面と対向する側からみた背面図、（ｃ）は電極部１２を下側に向けた際の上面図、（ｄ）は電極部１２がある側の底面図、（ｅ）は（ａ）の矢印Ｅの方向からみた側面図、及び（ｆ）は（ａ）の矢印Ｆの方向からみた側面図である。さらに、図３は、第１実施形態に係る皮膚機能評価装置１０の使用状態を表す図である。
【００１４】
まず、皮膚機能評価装置の概略構成及び機能について簡単に説明する。
本実施形態に係る皮膚機能評価装置１０は、測定者が把持する柱状の基部１１と、基部１１の一方の端部１１ａに設けられ、皮膚機能を検出するために被測定者の皮膚表面に接触させる電極部１２と、を備えている。
電極部１２は、リング状の印加電極１２１と、印加電極１２１と同心円状に配置した検出電極１２２と、を備えている（図２（ｄ））。印加電極１２１は、皮膚表面に複数の交流電圧（例えば、複数の周波数の交流信号）を印加し得るものであり、検出電極１２２は、印加電極１２１により皮膚表面に印加された複数の交流電圧（電気信号）により、皮膚を通過した複数の交流電圧（通電電気特性）を検出し得るものである。
即ち、皮膚機能評価装置１０は、図３に示すように、電極部１２を皮膚表面ｓに接触させて、皮膚の通電電気特性（例えば、インピーダンス、サセプタンス、アドミタンス、又はコンダクタンス等）を測定し、その結果から、角層の水分量や経皮水分蒸散量を推定し、これに基づいて、皮膚機能（皮膚のバリア機能）を評価することができる。
なお、本実施形態に係る皮膚機能評価装置１０は、上記特許文献２（特開２０１０−１７２５４３号公報）に記載されている通りに、皮膚の通電電気特性の測定方法、角層の水分量や経皮水分蒸散量の推定値となり得る特性値の算出方法、及びその特性値から角層の水分量や経皮水分蒸散量を算出する方法などを採用することができる。
【００１５】
次に、皮膚機能評価装置１０の構成について詳述する。
皮膚機能評価装置１０は、測定者Ｈ１が把持する柱状の基部１１と、基部１１の一方の端部１１ａに設けられ、皮膚機能を検出するために被測定者Ｈ２の皮膚表面ｓに測定面１２ａを接触させる電極部１２と、を備え、基部１１の反電極部側１３ｂから電極部側１３ａへ延びる第１仮想軸線Ａ１１と、電極部１２の測定面１２ａに対して垂直方向Ｖ１に延びる第２仮想軸線Ａ１２とが、交差している。
【００１６】
より具体的には、基部１１は、反電極部側１３ｂから電極部側１３ａの軸方向Ｓ１に延び、柱状の形状である。換言すれば、基部１１は、軸方向Ｓ１に沿う長さＬ１が、該軸方向Ｓ１の垂直方向Ｔ１、Ｕ１に沿う長さＬ２、Ｌ３よりも長い柱状（略直方体状）の形状である（Ｓ１に沿う長さＬ１＞Ｔ１、Ｕ１に沿う長さＬ２、Ｌ３）（図２（ａ）、（ｃ）参照）。
基部１１は、第１把持面１１１と、第１把持面１１１に対向する第２把持面１１２と、第１及び第２把持面１１１、１１２の間の曲面状の第３把持面１１３及び第４把持面１１４と、を有している（図２（ｅ）参照）。本実施形態では、測定者Ｈ１は、第１把持面１１１及び第２把持面１１２を把持している（第１把持面１１１及び第２把持面１１２に指を接触させ、皮膚機能評価装置１０を保持している）（図３参照）。
【００１７】
上述した基部１１の屈曲している側の端部１１ａに、電極部１２が配置されている。電極部１２は、測定面１２ａを被測定者Ｈ２の皮膚表面ｓに接触させ、被測定者Ｈ２の皮膚機能を検出する。
【００１８】
基部１１の軸方向Ｓ１に沿う軸線を延長させた仮想の直線を第１仮想軸線Ａ１１とし、電極部１２の測定面１２ａに対する垂線を延長させた仮想の直線を第２仮想軸線Ａ１２とした場合、第１把持面１１１側から見た平面視（電極部１２の測定面１２ａを図２における下側に向けた状態で、電極部１２の測定面１２ａに対して水平方向の第１把持面１１１側から見た場合）において、本実施形態に係る皮膚機能評価装置１０は、基部１１の反電極部側１３ｂから電極部側１３ａへ延びる第１仮想軸線Ａ１１と、電極部１２の皮膚表面ｓに接触させる測定面１２ａに対して垂直方向Ｖ１に延びる第２仮想軸線Ａ１２とが、交差している（図２（ａ）及び（ｂ）参照）。
【００１９】
換言すれば、第１把持面１１１側から見た平面視において、第１仮想軸線Ａ１１と第２仮想軸線Ａ１２は、角度（交差角度）α１を有している。角度α１は、基部１１に対して、電極部１２の測定面１２ａが向いている側の第１仮想軸線Ａ１１と第２仮想軸線Ａ１２の間の角度である（図２（ａ）及び（ｂ）参照）。本実施形態では、電極部１２の測定面１２ａが、図２（ａ）及び（ｂ）における下側を向いているので、第１仮想軸線Ａ１１と第２仮想軸線Ａ１２が交差することにより構成する下側の角度である。
本実施形態では、第１仮想軸線Ａ１１と第２仮想軸線Ａ１２との間の角度α１は、１２０度となっている（α１＝１２０度）。
（第１仮想軸線と第２仮想軸線との間の）角度は、基部から入力された第１仮想軸線の力を分解し、電極部の測定面を被測定者の皮膚表面に対して留まらせることにより皮膚機能評価装置の測定精度を高める趣旨に基づき、１０度〜１７０度の範囲とすることが可能である。皮膚機能評価装置が、電極部の測定面を『（被測定者の）なめらかな曲線を有する皮膚表面』に対してより安定させた状態で留まらせ、電極部の測定面のぐらつきを防止することにより、本発明の課題を解決することを考慮すると、（第１仮想軸線と第２仮想軸線との間の）角度は、３０度〜１５０度であるのがより好ましい。また、測定者が、電極部の測定面を被測定者の皮膚における測定者側に接触させ、電極部の測定面を確認しやすくすることにより、皮膚機能評価装置が、『なめらかな曲線を有する皮膚表面』に対する電極部の測定面のぐらつきをより高度な次元で防止し、本発明の課題を解決することを考慮すると、（第１仮想軸線と第２仮想軸線との間の）角度は、９０度〜１５０度であるのがさらに好ましい。
【００２０】
基部１１の第１仮想軸線Ａ１１に沿って構成された第１〜第４把持面１１１〜１１４（把持面）の少なくとも１つの第１把持面１１１（把持面）に、被測定者Ｈ２の皮膚機能の測定を開始する測定スイッチ１４が備えられており、測定スイッチ１４は、電極部１２の測定面１２ａに対して水平方向に力が入力される構成である。
本実施形態では、基部１１の第１仮想軸線Ａ１１に沿って構成された、第１〜第４把持面１１１〜１１４の１つである第１把持面１１１（少なくとも１つの把持面）に、被測定者Ｈ２の皮膚機能の測定を開始させる測定スイッチ１４が備えられている。
測定スイッチ１４は、電極部１２の測定面１２ａに対して水平方向（第１把持面１１１から（第１把持面１１１に対して）対向する第２把持面１１２に向かう方向：第１仮想軸線Ａ１１に対して垂直方向Ｕ１）に押圧される押ボタン方式の構成である。
測定スイッチ１４は、測定者Ｈ１が基部１１を把持しつつ、測定者Ｈ１自身の基部１１を把持している側の手（本実施形態では、右手）の親指で操作可能（押圧することが可能）な位置に設けられている。
皮膚機能評価装置１０は、電極部１２を被測定者Ｈ２の皮膚表面ｓに接触させ、測定者Ｈ１が測定スイッチ１４を入力（具体的には、押庄）してから数秒（例えば２秒程度）で特性値及び経皮水分蒸散量等を算出することができる。
【００２１】
本実施形態において、第１把持面（測定スイッチ１４が備えられている把持面）１１１には、更に、皮膚機能の評価値を表示する表示部１５が備えられている。
即ち、図２（ａ）に示すように、皮膚機能評価装置１０の第１把持面１１１には、測定スイッチ１４と、表示部１５とが備えられている。
【００２２】
（電池を含む）皮膚機能評価装置１０の重心は、該皮膚機能評価装置１０の第１仮想軸線Ａ１１方向の長さＬ４における中心位置Ｍよりも電極部側１３ａに位置している（図２（ｂ）参照）。
皮膚機能評価装置１０の第１仮想軸線Ａ１１方向の長さＬ４とは、基部１１の反電極部側１３ｂの端部１１ｂから電極部１２の測定面１２ａの反基部側の端部１２ｂまでの第１仮想軸線Ａ１１上の長さを意味する。
皮膚機能評価装置１０における基部１１は、その他のパーツを設置又は内蔵し得る筐体である。あえて図示はしないが、皮膚機能評価装置１０は、基部１１内部に（測定の電源として使用する）電池を有している。電池は、皮膚機能評価装置１０の第１仮想軸線Ａ１１方向の長さＬにおける中心位置Ｍよりも電極部１２側に配置されている（図２（ｂ）参照）。電池の分の重さが、皮膚機能評価装置１０の第１仮想軸線Ａ１１方向の長さＬ４における中心位置Ｍよりも電極部側１３ａに付加される。
即ち、（電池を含む）皮膚機能評価装置１０の重心は、該皮膚機能評価装置１０の第１仮想軸線Ａ１１方向の長さＬ４における中心位置Ｍよりも電極部側１３ａに位置している。
【００２３】
次に第１実施形態に係る皮膚機能評価装置１０が奏する作用効果を説明する。
皮膚機能評価装置１０は、基部１１の反電極部側１３ｂから電極部側１３ａへ延びる第１仮想軸線Ａ１１と、電極部１２の測定面１２ａに対して垂直方向に延びる第２仮想軸線Ａ１２とが、交差する構成となっている（図１、図２（ａ）及び（ｂ）参照）。この構成により、第１仮想軸線Ａ１１方向に加えられた力は、（第１仮想軸線Ａ１１と第２仮想軸線Ａ１２の角度α１に応じて、）第１仮想軸線Ａ１１の『垂直方向成分』と『平行方向成分』の２方向の力成分にバランスよく分解され、被測定者Ｈ２に伝達される。２方向に分解された力成分は、電極部１２の測定面１２ａを被測定者Ｈ２の皮膚表面ｓに対して安定して留まらせるように働き、（皮膚表面ｓに対する）電極部１２の測定面１２ａのぐらつきを防止させることができる。しかも、皮膚機能評価装置１０は、その重心が、皮膚機能評価装置１０の第１仮想軸線Ａ１１方向の長さＬ４における中心位置Ｍよりも電極部１２側に位置しているため（図２（ｂ）参照）、電極部１２側が重く、電極部１２の測定面１２ａを皮膚表面ｓに対して、より安定して接触させることができる。さらに、皮膚機能評価装置１０の１つ把持面（第１把持面）１１１に、測定スイッチ１４と、表示部１５との両方を備えているため、測定スイッチ１４を押したことを確認するとともに、被測定者Ｈ２の皮膚機能の評価値を容易に確認することができる。皮膚機能の評価値を確認する際に、皮膚機能評価装置１０をぐらつかせることがない。また、１枚の保護シール（図示せず）により、（第１把持面１１１の）測定スイッチ１４と表示部１５の両方に対して防水や防塵などを目的とした保護をすることができる。測定スイッチ１４が、測定面１２ａに沿う水平方向であり、かつ基部１１の軸方向Ｓ１（又は第１仮想軸線Ａ１１）に対する垂直方向である方向Ｕ１に力が入力される構成（図２（ａ）参照）であるため、測定スイッチ１４を入力しても、電極部１２の測定面１２ａに対して垂直方向に余計な力が入力されることがない。
以上のことから、皮膚機能評価装置１０は、安定した測定値を得ることができ、測定精度を高めることができる。
また、測定スイッチ１４は、測定者Ｈ１が基部１１を把持した手の一部の指（本実施形態では、親指）で操作可能な位置に設けられていることから、測定者Ｈ１は、皮膚機能評価装置１０を片手で持ち、測定面１２ａを皮膚表面ｓに接触させた状態で、（把持した手の）親指で測定スイッチ１４を簡易に入力することができる。皮膚機能評価装置１０は、測定者Ｈ１にとって使用し易いため、結果として、測定面１２ａを皮膚表面ｓに対してぶれ難くし、測定精度を高めることが可能となる。
【００２４】
＜第２実施形態＞
次に、本発明の第２実施形態に係る皮膚機能評価装置２０について説明する。
図４（ａ）は第２実施形態の皮膚機能評価装置２０を示す平面図であり、図４（ｂ）は皮膚機能評価装置２０を示す斜視図である。図５は第２実施形態の皮膚機能評価装置２０の使用状態を表す図である。
なお、以下の実施形態で参照する各図面において、実質的に同一の機能を有するもの（構成）等については、部品番号の下二桁を同一のものとして、重複した説明を省略する。例えば、（図２に示すように、）第１実施形態における表示部１５を備える第１把持面１１１に対応させるように、（図４に示す）第２実施形態では、表示部２５を備える把持面を第１把持面２１１としている。
【００２５】
（図４（ａ）に示すように、）第２実施形態に係る皮膚機能評価装置２０も、一つの把持面（第４把持面）２１４側からみた平面視において、測定者Ｈ１が把持する柱状の基部２１と、基部２１の一方の端部２１ａに設けられ、皮膚機能を検出するために被測定者Ｈ２の皮膚表面ｓに接触させる電極部２２と、を備え、基部２１の反電極部側２３ｂ（端部２１ｂ側）から電極部側２３ａ（端部２１ａ側）へ延びる（軸方向Ｓ２に沿う）第１仮想軸線Ａ２１と、電極部２２の皮膚表面ｓに接触させる測定面２２ａに対して垂直方向Ｖ２に延びる第２仮想軸線Ａ２２とが、交差している（第１仮想軸線Ａ２１と第２仮想軸線Ａ２２との（交差）角度＝α２）。
しかしながら、（第２実施形態に係る）皮膚機能評価装置２０は、（第１実施形態に係る）皮膚機能評価装置１０と比べて、『基部の把持面に対する電極部の測定面の向き』、『基部の把持面における測定スイッチの配置位置』が異なっている。
【００２６】
第１、第２実施形態に係る皮膚機能評価装置１０、２０の『電極部の測定面の向き』について比較する。
（第１実施形態に係る）皮膚機能評価装置１０では、電極部１２の測定面１２ａが基部１１の第４把持面１１４の方向に向いている（図１、図２（ａ）、（ｄ）参照）。これに対し、（第２実施形態に係る）皮膚機能評価装置２０では、電極部２２の測定面２２ａが（基部２１の第１把持面２１１に対向する）第２把持面２１２の方向に向いている（図４参照）。
即ち、（第２実施形態に係る）皮膚機能評価装置２０は、（第１実施形態に係る）皮膚機能評価装置１０と『基部の把持面に対する電極部の測定面の向き』が異なっている。
【００２７】
次に、第１、第２実施形態に係る皮膚機能評価装置１０、２０の『測定スイッチの配置位置』について比較する。
（第１実施形態に係る）皮膚機能評価装置１０において、測定スイッチ１４は基部１１の第１把持面１１１に配置されている（図１及び図２（ａ）参照）。これに対し、（第２実施形態に係る）皮膚機能評価装置２０において、測定スイッチ２４が基部２１の第３把持面２１３に配置されている（図４参照）。
即ち、（第２実施形態に係る）皮膚機能評価装置２０は、（第１実施形態に係る）皮膚機能評価装置１０と『基部の把持面における測定スイッチの配置位置』が異なっている。
【００２８】
なお、皮膚機能評価装置２０も、第１仮想軸線Ａ２１と、第２仮想軸線Ａ２２と、の間の角度が、１２０度である。
（電池を入れた）皮膚機能評価装置２０の重心は、該皮膚機能評価装置２０の第１仮想軸線Ａ２１方向の長さにおける中心位置よりも電極部２２側に位置する。基部２１は、第１仮想軸線Ａ２１に沿って構成された第３把持面（少なくとも１つの把持面）２１３に、（皮膚機能の測定を開始する）測定スイッチ２４が備えられている。測定スイッチ２４は、電極部２２の測定面２２ａに対して水平方向Ｕ２（第３把持面２１３から第４把持面２１４に向かって）に力が入力される構成である。本実施形態では、測定スイッチ２４は、測定者Ｈ１が基部２１を把持しつつ、人差し指で操作することができる位置に配置されている（図５参照）。
【００２９】
皮膚機能評価装置２０は、基部２１の反電極部側２３ｂから電極部側２３ａへ延びる第１仮想軸線Ａ２１と、電極部２２の測定面２２ａに対して垂直方向Ｖ２に延びる第２仮想軸線Ａ２２とが、交差する構成となっている。この構成により、第１仮想軸線Ａ２１方向に加えられた力は、（第１仮想軸線Ａ２１と第２仮想軸線Ａ２２との角度に応じて、）第１仮想軸線Ａ２１の『垂直方向成分』と『平行方向成分』の２方向の力成分にバランスよく分解され、被測定者に伝達される。２方向に分解された力成分は、電極部の測定面を被測定者の皮膚表面に対して安定して留まらせるように働き、（皮膚表面に対する）電極部の測定面のぐらつきを防止させることができる。以上のことから、皮膚機能評価装置は、安定した測定値を得ることができ、測定精度を高めることができる。
【００３０】
＜実施形態の変形例＞
なお、図６に示すように、本発明に係る皮膚機能評価装置は、基部（３１、４１、５１、６１）の反電極部側（３３ｂ、４３ｂ、５３ｂ、６３ｂ）から電極部側（３３ａ、４３ａ、５３ａ、６３ａ）に延びる軸方向（Ｓ３、Ｓ４、Ｓ５、Ｓ６）に沿う第１仮想軸線（Ａ３１、Ａ４１、Ａ５１、Ａ６１）と、電極部（３２、４２、５２、６２）の（皮膚表面に接触させる）測定面（３２ａ、４２ａ、５２ａ、６２ａ）に対して垂直方向（Ｖ３、Ｖ４、Ｖ５、Ｖ６）に延びる第２仮想軸線（Ａ３２、Ａ４２、Ａ５２、Ａ６２）とが、平面視で交差する限りにおいて、種々の形態をとることができる。
【００３１】
例えば、図６（ａ）に示すように、皮膚機能評価装置３０は、第１仮想軸線Ａ３１と第２仮想軸線Ａ３２との間の角度α３が平面視で直角となるようにしてもよい（α３＝９０度）。また、図６（ｂ）に示すように、皮膚機能評価装置４０は、第１仮想軸線Ａ４１と第２仮想軸線Ａ４２との間の角度α４が鋭角としてもよい（α４＜９０度）。
また、皮膚機能評価装置５０、６０は、基部５１、６１の電極部側５３ａ、６３ａが屈曲しておらず、電極部５２、６２が配置されている。例えば、図６（ｃ）に示すように、皮膚機能評価装置５０は、第１仮想軸線Ａ５１と第２仮想軸線Ａ５２との間の角度α５を直角にしてもよい（α５＝９０度）。図６（ｄ）に示すように、皮膚機能評価装置６０は、第１仮想軸線Ａ６１と第２仮想軸線Ａ６２との間の角度α６を鈍角としてもよい（α６＞９０度）。
【００３２】
本発明に係る皮膚機能評価装置は、上述した実施形態に限らず、以下に示す他の構成を採用してもよい。
電極部は、皮膚機能を検出するための電極を備えていればよく、電極の形状、個数、大きさなどは特に限定されない。
測定スイッチは、電極部を皮膚表面に接触させてから入力するように設定してもよいし、測定スイッチを入力してから電極部の測定面を皮膚表面に接触させるように設定してもよい。
なお、上記測定者とは、本発明の皮膚機能評価装置を使用して、被測定者の皮膚機能を測定する者をいい、被測定者と同一人でもよいし、異なっていてもよい。
測定スイッチは、電極部の測定面に対して水平方向に力を入力する構成でもよいし、電極部の測定面に対して垂直方向に力を入力する構成でもよい。また、電極部の測定面に対して垂直方向に力を入力する測定スイッチとして、（電極部の測定面に対して垂直方向に力を入力する）スライド型のスイッチや、タッチ入力式のスイッチなどとしてもよい。
なお、皮膚機能評価装置の重心の位置は、中心位置よりも電極部側に配置されていなくてもよい。
【符号の説明】
【００３３】
１０、２０  皮膚機能評価装置
１１、２１  基部
１１１、２１１  第１把持面
１１２、２１２  第２把持面
１１３、２１３  第３把持面
１１４、２１４  第４把持面
１２、２２  電極部
１２ａ、２２ａ  測定面
１３ａ、２３ａ  電極部側
１３ｂ、２３ｂ  反電極部側
１４、２４  測定スイッチ
１５、２５  表示部
１６、２６  電源スイッチ
Ａ１１、Ａ２１  第１仮想軸線
Ａ１２、Ａ２２  第２仮想軸線
【図１】
2014045797.tif 000003
【図２】
2014045797.tif 000004
【図３】
2014045797.tif 000005
【図４】
2014045797.tif 000006
【図５】
2014045797.tif 000007
【図６】
2014045797.tif 000008
【図７】
2014045797.tif 000009